(57)【要約】      （修正有）【課題】充分な弾性留め力を維持し、安定して髪の外方向への滑り出しを防止できる弾性ヘアクリップ構造の改良を提供する。【解決手段】主弾性クリップフレーム部２と、一つ以上のクリップ２１２とを含み、主弾性クリップフレーム部が２つの留めアーム２１で構成され、留めアームは主弾性クリップフレーム部の両側に位置し、一端が一体成型で結合部を形成し、他端が開放端を形成し、クリップは留めアームの間に位置し、クリップと留めアームの結合部も一体成型の連結を形成し、留めアームと、クリップの両側に髪の収容スペースが形成され、クリップの自由端付近の両側に外アーチ部２１３が形成され、クリップと、留めアームが弾性に留めるとき、外アーチ部によって、留めアームの開放連結端に係止突起部２１４が形成され、係止突起部は２つの外アーチ部付近部の間に位置する。【選択図】図２Ａ
0003228630.tif 000002
【実用新案登録請求の範囲】
【請求項１】
主弾性クリップフレーム部と、少なくとも２つのクリップとを含み、
前記主弾性クリップフレーム部が、第１留めアーム及び第２留めアームによって構成され、
前記第１留めアーム及び前記第２留めアームが、前記主弾性クリップフレーム部の両側の一端に一体成型の結合部を形成し、他端が開放端を形成し、
２つの前記クリップが、前記第１留めアーム及び前記第２留めアームとの間に位置し、２つの前記クリップの一端が一体成型され、合わせて前記第１留めアーム及び前記第２留めアームの一端の結合部に連結され、２つの前記クリップのもう一端が自由端を形成し、
前記主弾性クリップフレーム部及び２つの前記クリップが、一体成型された可撓性弾性材料で作られ、
前記第１留めアーム及び前記第２留めアームの開放端が互いに連結されることによって、前記主弾性クリップフレーム部がアーチ状に形成され、二通りの弾性変化特性を形成し、
前記主弾性クリップフレーム部を折り曲げて、二通りに弾性変化させると、前記第１留めアーム及び前記第２留めアームを連結する開放端と、２つの前記クリップの自由端とが分離または閉合する弾性留め状態を形成し、
２つの前記クリップの幅は、一端の結合部から自由端に向かって次第に縮小する設計によって、２つの前記クリップの基部の部材が広く設計され、充分な留め弾性を維持でき、
２つの前記クリップの幅が次第に縮小する設計によって、前記第１留めアーム及び前記第２留めアームと、２つのクリップの両側により大きい髪の保持スペースが形成され、安定性を向上でき、
２つの前記クリップの自由端の端部の両側に対応する外アーチ部が形成され、２つの前記クリップと、前記第１留めアーム及び前記第２留めアームが弾性保持を形成する際、２つの前記クリップの２つの対応する前記外アーチ部が、髪が２つの前記クリップの自由端に滑り出すのを防止する効果を有することを特徴とする、弾性ヘアクリップ構造の改良。
【請求項２】
前記第１留めアーム及び前記第２留めアームの開放端が連結されて形成される連結端の内縁部に係止突起部が形成され、前記係止突起部が、２つの前記クリップの自由端の２つの対応する前記外アーチ部の中間部付近に位置し、２つのクリップに対応する前記外アーチ部とともに髪の三点の係止設計を形成し、前記髪が外方向に滑り出すのを防止する効果を大幅に向上できることを特徴とする、請求項１に記載の弾性ヘアクリップ構造の改良。
【請求項３】
２つの前記クリップに滑り止めの波状突起部が設けられることを特徴とする、請求項１に記載の弾性ヘアクリップ構造の改良。
【請求項４】
２つの前記クリップの間に上下に波打つクリップがさらに設けられ、滑り防止効果を向上させることを特徴とする、請求項１に記載の弾性ヘアクリップ構造の改良。
【請求項５】
髪飾りをさらに含み、前記髪飾りの底部の両端にそれぞれ前記主弾性クリップフレーム部の両端を組み付けるための結合孔が設けられ、前記髪飾りと、前記主弾性クリップフレーム部とが結合されることによって、前記髪飾りの交換効果が達成され、
前記髪飾りのくり抜き部の一端の内側に係止突起部が形成され、前記係止突起部が、２つの前記クリップの自由端の２つの対応する前記外アーチ部の間の付近に位置し、同じく２つの対応する前記外アーチ部とともに前記髪の三点の係止設計を構成し、前記髪が外方向に滑り出すのを防止する効果を大幅に向上できることを特徴とする、請求項１に記載の弾性ヘアクリップ構造の改良。
【請求項６】
前記可撓性弾性材料は、金属、プラスチック、または繊維部材であることを特徴とする、請求項１に記載の弾性ヘアクリップ構造の改良。
【請求項７】
主弾性クリップフレーム部と、一つのクリップとを含み、
前記主弾性クリップフレーム部が、第１留めアーム及び第２留めアームによって構成され、
前記第１留めアーム及び前記第２留めアームが一体成型されて結合部を形成し、他端が開放端を形成し、
前記クリップが前記第１留めアーム及び前記第２留めアームとの間に位置し、前記クリップの一端が一体成型され、合わせて前記第１留めアーム及び前記第２留めアームの一端の結合部に連結され、前記クリップのもう一端が自由端を形成し、
前記主弾性クリップフレーム部及び前記クリップが、一体成型された可撓性弾性材料で作られ、
前記クリップの幅が一端の結合部から自由端に向かって次第に縮小する設計によって、前記第１留めアーム及び前記第２留めアームと前記クリップの両側に比較的大きい髪の収容スペースが形成され、安定性を向上できるとともに、
前記クリップの自由端の端部付近の両側に対応する外アーチ部が形成され、前記クリップと、前記第１留めアーム及び前記第２留めアームとが弾性に留めるとき、前記クリップの２つの対応する前記外アーチ部は、前記髪が外方向に滑るのを防止する効果を達成することを特徴とする、弾性ヘアクリップ構造の改良。
【請求項８】
前記第１留めアーム及び前記第２留めアームの開放端の内縁部に係止突起部が形成され、前記係止突起部が、前記クリップの自由端の２つの対応する前記外アーチ部の中間部付近に位置し、前記クリップに対応する前記外アーチ部とともに前記髪の三点の係止設計を形成し、前記髪が外方向に滑り出すのを防止する効果を大幅に向上できることを特徴とする、請求項７に記載の弾性ヘアクリップ構造の改良。
【請求項９】
前記クリップの中間部にくり抜き部が設けられることによって、ヘアクリップの効果を損ねることなく、重量を軽減できることを特徴とする、請求項７に記載の弾性ヘアクリップ構造の改良。
【請求項１０】
前記クリップが複数の湾曲状に形成され、前記第１留めアーム及び前記第２留めアームの内側にも、前記クリップに対応する複数の湾曲状が設けられ、滑り防止効果を向上させることを特徴とする、請求項７に記載の弾性ヘアクリップ構造の改良。
【請求項１１】
前記可撓性弾性材料は、金属、プラスチック、または繊維部材であることを特徴とする、請求項７に記載の弾性ヘアクリップ構造の改良。
【請求項１２】
一端に主弾性クリップフレーム部と、他端に前記主弾性クリップフレームと一体成型されるクリップとを含み、
前記主弾性クリップフレーム部が、第１留めアーム及び第２留めアームによって構成され、
２つの前記クリップと、前記第１留めアーム及び前記第２留めアームが同じフラットプレート材に形成された後、中間部が折り曲げ加工されて形成され、２つの前記クリップが、前記第１留めアーム及び前記第２留めアームとの間に対応し、２つの前記クリップの他端が自由端を形成し、
２つの前記クリップの幅が、屈折部から自由端に向かって次第に縮小するように設計され、２つの前記クリップの基部の部材の幅が比較的広く確保され、２つの前記クリップの弾性留め力を維持し、
２つの前記クリップの幅が次第に縮小する設計によって、前記第１留めアーム及び前記第２留めアームは、２つの前記クリップとともに比較的大きい前記髪の収容スペースを形成し、
２つの前記クリップの自由端の端部付近の両側にそれぞれ外アーチ部が形成されることによって、２つの前記クリップと、前記第１留めアーム及び前記第２留めアームが弾性留め状態の際、２つの前記クリップの対応する２つの前記外アーチ部は、前記髪が外方向に滑るのを防止する効果を達成することを特徴とする、弾性ヘアクリップ構造の改良。
【請求項１３】
前記第１留めアーム及び前記第２留めアームと、２つの前記クリップの自由端が対応する内縁部に係止突起部が形成され、前記係止突起部が、２つの前記クリップの自由端の２つの対応する前記外アーチ部の中間部付近に位置し、２つの対応する前記外アーチ部とともに前記髪の三点の係止設計を形成することを特徴とする、請求項１２に記載の弾性ヘアクリップ構造の改良。
【請求項１４】
前記主弾性クリップフレーム部の他端に一体成型の単一のクリップが形成され、中間部が折り曲げ加工され、前記クリップが前記第１留めアームと前記第２留めアームとの間に対応し、前記クリップのもう一端が自由端を形成し、
前記クリップの自由端が端部付近両側にそれぞれ外アーチ部が形成されることによって、前記クリップと、前記第１留めアーム及び前記第２留めアームが弾性留め状態の際、前記クリップに対応する２つの前記外アーチ部によって、前記髪が自由端に滑るのを防止する効果を発揮し、前記係止突起部と、前記クリップに対応する前記２つの外アーチ部によって、前記髪の三点の係止設計が構成されることを特徴とする、請求項１２に記載の弾性ヘアクリップ構造の改良。
【請求項１５】
前記主弾性クリップフレーム部が、長い板状の主弾性シートに代えられることで、一端が前記主弾性シートとして形成され、もう一端が２つのクリップによって形成されることを特徴とする、請求項１２に記載の弾性ヘアクリップ構造の改良。
【請求項１６】
前記主弾性シートの一端は、一体成型によって単一のクリップが形成され、前記主弾性シートと、前記クリップとが一体成型されて同じフラットプレート材に形成された後、中間部が折り曲げ加工されて形成され、前記クリップの自由端が、端部付近の両側にそれぞれ前記外アーチ部が形成されることを特徴とする、請求項１５に記載の弾性ヘアクリップ構造の改良。
【考案の詳細な説明】
【技術分野】
【０００１】
本考案は極めて良い弾性保持力を維持しつつ、髪の毛が外側に抜け出すことを防げる弾性ヘアクリップ設計に関する。
【背景技術】
【０００２】
従来の弾性ヘアクリップは、図１Ａと、図１Ｂに示すように、留めフレーム１と、クリップ１２とを含む。そのうち、留めフレーム１の両側の留めフレーム１１の末端部を連結して両端に弾性アーチを変化させる特性を形成する。留めフレーム１の両端を上向きに曲げると、留めフレーム１と、クリップ１２とを分離して、髪の保持スペース（図１Ａに示す）を形成し、留めフレーム１の中間部を上向きに曲げると、留めフレーム１１と、クリップ１２とをはさみ合わせて（図１Ｂに示す）、髪を保持する目的を達成する。
【０００３】
別の従来の弾性ヘアクリップは、図１Ｃと、図１Ｄに示すように、設計は図１Ａと同じだが、クリップ１２の中央部分にくり抜き溝１２２が形成されている。
【考案の概要】
【考案が解決しようとする課題】
【０００４】
前述した２種の従来の設計とも、クリップ１２の弾性強度にのみ着眼しているが、クリップ１２と、両側の留めフレーム１１の間のスペースが極めて小さく、髪を確実に保持できないばかりでなく、クリップ１２の両側面１２１ともフラット設計になっており、髪の滑り出しを確実に防ぐことはできず、単なるクリップ１２の弾性力で留めているため、ヘアピンが抜け出しやすい恐れがある。
【課題を解決するための手段】
【０００５】
本考案は弾性ヘアクリップ構造の改良に関する。本考案の弾性ヘアクリップは、主弾性クリップフレーム部と、少なくとも一つ以上のクリップとを含み、主弾性クリップフレーム部は、第１留めアーム及び第２留めアームによって構成される。第１留めアーム及び第２留めアームは、主弾性クリップフレーム部の両側に位置し、一端は一体成型によって結合部を形成し、他端が開放端を形成し、クリップは、第１留めアームと第２留めアームとの間に位置し、クリップの一端の結合部と、第１留めアーム及び第２留めアームの一端の結合部も一体成型の結合部を形成し、クリップのもう一端は自由端を形成し、主弾性クリップフレーム部及びクリップは、一体成型された可撓性弾性材料で作られ、第１留めアーム及び第２留めアームの開放端が連結されると、弾性留めアームフレームがアーチ状に形成され、二通りの弾性変化特性を有し、主弾性留めアームフレームを折り曲げて、二通りに弾性変化させると、第１留めアーム及び第２留めアームを連結する開放端と、クリップの自由端とが分離または閉合する弾性留め状態を形成し、髪を保持する目的を達成する。
【０００６】
本考案より提供されるクリップの形状は、第１、第２留めアーム一端の結合部の基部から自由端に向かって幅が次第に縮小する設計となっており、クリップに充分な留め弾性を維持しながら、保持力を向上できる。クリップの幅が次第に縮小する設計によって、第１、第２留めアームと、クリップの両側に比較的大きい髪の収容スペースが形成され、安定性を向上できる。それに加えて、クリップの自由端の端部付近の両側に対応する外アーチ部が形成され、クリップと、第１、第２留めアームが弾性に留めるとき、クリップの２つの対応する外アーチ部によって、髪が外方向に滑り出すのを防止する効果を有する。さらに、第１留めアーム及び第２留めアームの開放連結端に係止突起部が設けられ、係止突起部が、クリップの自由端の２つの対応する外アーチ部の間の付近に位置し、２つの対応する外アーチ部とともに、髪の三点の係止設計を構成することによって、髪が外方向に滑り出すのを防止する効果を大幅に向上できる。
【考案の効果】
【０００７】
本考案の主な目的は、提供されるクリップの幅は、一端の結合部が自由端に向かって、次第に縮小する設計となっており、クリップに充分な弾性留め力を維持し、保持力を向上できる。
【０００８】
本考案の次の目的は、主にクリップの幅が次第に縮小する設計を提供し、第１、第２留めアームと、クリップの両側に比較的大きい髪の収容スペースを形成し、安定性を向上できる。
【０００９】
本考案のさらに一つの目的は、クリップの自由端の端部付近両側に対応する外アーチ部を形成することによって、クリップと、第１、第２留めアームが弾性に留めるとき、クリップの２つの対応する外アーチ部は、髪が外方向に滑り出すのを防止する効果を有する。
【００１０】
本考案の別の目的は、第１留めアーム及び第２留めアームの連結端に係止突起部を形成し、係止突起部がクリップの自由端の２つの対応する外アーチ部の間に位置し、２つの対応する外アーチ部とともに、髪の三点の係止設計を構成し、髪が外方向に滑り出すのを防止する効果を大幅に向上できる。
【図面の簡単な説明】
【００１１】
【図１Ａ】従来の弾性ヘアクリップを適用した二段階の弾性変化を示す図である。
【図１Ｂ】従来の弾性ヘアクリップを適用した二段階の弾性変化を示す図である。
【図１Ｃ】従来の別の弾性ヘアクリップを適用した二段階の弾性変化を示す図である。
【図１Ｄ】従来の別の弾性ヘアクリップを適用した二段階の弾性変化を示す図である。
【図２Ａ】本考案の一つの好ましい実施例による二段階の弾性変化を示す図である。
【図２Ｂ】本考案の一つの好ましい実施例による二段階の弾性変化を示す図である。
【図２Ｃ】図２Ａに示す状態の側断面図である。
【図２Ｄ】髪を留めたときの側断面図である。
【図２Ｅ】髪を留めたときの上面図である。
【図２Ｆ】本考案のクリップに滑り防止の波構造を設けられた別の実施例の態様図である。
【図３】本考案の別の実施例の態様図であり、２つのクリップの間に、上部及び下部の弧状設計を有する別のクリップが設けられている。
【図４Ａ】本考案の好ましい実施例における２つの異なる形状の主弾性クリップフレーム部の態様図である。
【図４Ｂ】本考案の好ましい実施例における２つの異なる形状の主弾性クリップフレーム部の態様図である。
【図５】係止突起部を別の髪飾りに設けた場合の本考案の別の実施例の態様図である。
【図６Ａ】本考案の一つのクリップの滑り止め設計に係る実施態様図である。
【図６Ｂ】図６Ａに示すクリップの中央部にくり抜き溝が設けられた別の実施態様図である。
【図６Ｃ】本考案の一つのクリップの滑り止め設計に係る別の実施態様図である。
【図７Ａ】中央部を折り曲げて成形された弾性ヘアクリップの別の態様図である。
【図７Ｂ】図７Ａをはさみ合わせたときの上面図である。
【図７Ｃ】図７Ａが主弾性クリップフレーム部と、クリップに波状突起部が設けられた別の実施態様図である。
【図７Ｄ】図７Ｃを半分に折り曲げる前の態様図である。
【図７Ｅ】図７Ｄに示す主弾性クリップフレーム部の別の区間が単一のクリップ設計である実施態様図である。
【図８Ａ】中央部を折り曲げて成形された弾性ヘアクリップの別の実施例態様図である。
【図８Ｂ】図８Ａを折り曲げて成形したときの態様図である。
【図８Ｃ】図８Ａクリップ部の半分を単一のクリップとして設計した別の実施態様図である。
【考案を実施するための形態】
【実施例】
【００１２】
図２Ａ及び図２Ｂを参照して、本考案の弾性ヘアクリップ構造の改良に係る一つの実施例を説明する。弾性ヘアクリップは、主弾性クリップフレーム部２と、少なくとも一つ以上のクリップ２１２とを含む。この実施例において、２つのクリップ２１２が例示される。主弾性クリップフレーム部２は、第１留めアーム２１と、第２留めアーム２１によって構成される。第１留めアーム２１及び第２留めアーム２１は、主弾性クリップフレーム部２の両側に位置し、一端が一体成型の結合部２１１１を形成し、もう一端は開放端２１１を形成する。２つのクリップ２１２は第１留めアーム２１と、第２留めアーム２１との間に位置し、２つのクリップ２１２の一端は一体成型され、第１留めアーム２１及び第２留めアーム２１の一端の結合部２１１１に結合され、２つのクリップ２１２のもう一端が自由端を形成し、主弾性クリップフレーム部２と、２つのクリップ２１２は一体成型されている。可撓性弾性材料で作られ、第１留めアーム２１及び第２留めアーム２１の開放端２１１を連結して、主弾性クリップフレーム部２がアーチ状に形成され、二通りの弾性変化の特性を有する。主弾性クリップフレーム部２を二通りに弾性変化させると、第１留めアーム２１と、第２留めアーム２１と連結した開放端２１１と、２つのクリップ２１２の自由端を分離または閉合する弾性留め状態を形成して、図２Ｃと、図２Ｄに示すように、髪を保持する目的を達成する。
【００１３】
本考案により提供される２つのクリップ２１２の幅は、一端の結合部２１１１から自由端に向かって、次第に縮小するように設計され、２つのクリップ２１２の基部２１２２の部材の幅が広くなり、充分な弾性留め力を維持しつつ、２つのクリップ２１２の保持力を向上できる。さらに、２つのクリップ２１２の幅が次第に縮小する設計により、第１、第２留めアーム２１と、２つのクリップ２１２両側が、図２Ｅに示すように、比較的大きい髪Ｂの保持スペースＡを形成し、安定性を向上できる。それに加えて、２つのクリップ２１２の自由端の端部付近両側に対応する外アーチ部２１３が形成され、２つのクリップ２１２と、第１、第２留めアーム２１が弾性を保持するとき、２つのクリップ２１２に設けられた２つの対応する外アーチ部２１３は、髪Ｂが２つのクリップ２１２の自由端へ滑り出すのを防止する効果を有する。このほか、第１留めアーム２１と、第２留めアーム２１の開放連結端２１１２の内縁部に係止突起部２１４が形成されており、係止突起部２１４は、２つのクリップ２１２の自由端の２つの対応する外アーチ部２１３間の付近に位置し、図２Ｄと、図２Ｅに示すように、２つの対応する外アーチ部２１３とともに、髪Ｂの三点の係止設計を構成し、髪Ｂが外方向への滑り出し防止効果を達成する。もちろん、図２Ｆと、図３に示すように、２つのクリップ２１２に、滑り止めの波状突起部２１２１を、または、２つのクリップ２１２の間に、上下に波打つクリップ２１２３を形成して、滑り止め効果を向上することもできる。このほか、本考案の主弾性クリップフレーム部２は、図４Ａ及び図４Ｂに示すように、様々な形状に形成しても良い。
【００１４】
引き続き、図５を参照して、本考案の図２Ａ及び図２Ｂに示される係止突起部を、髪飾り３に設けた場合の別の実施例を説明する。この実施例において、主弾性クリップフレーム部２は新たに髪飾り３に組み付けられ、髪飾り３の底部の両端に、それぞれ主弾性クリップフレーム部２の両端にはめ込む結合孔３１を設けることによって、髪飾り３と、主弾性クリップフレーム部２とが結合されると、髪飾りの交換効果が達成される。髪飾り３のくり抜き部３２の一端の内側に係止突起部３３が形成され、係止突起部３３は、２つのクリップ２１２の自由端の２つの対応する外アーチ部２１３間の付近に位置する。同じく、２つの対応する外アーチ部２１３とともに、髪Ｂの三点の係止設計を構成し、髪Ｂが外方向に滑り出すのを防止する効果を大幅に向上できる。
【００１５】
引き続き、図６Ａを参照して、本考案の単一のクリップの滑り防止に係る実施例を説明する。主弾性クリップフレーム部４と、クリップ４１２とを含む。主弾性クリップフレーム部４は、第１留めアーム４１及び第２留めアーム４１によって構成され、第１、第２留めアーム４１の一端が一体成型されて結合部４１１１を形成し、もう一端に開放端４１１を形成する。クリップ４１２は、第１、第２留めアーム４１の間に位置し、クリップ４１２の一端は一体成型されて第１、第２留めアーム４１の一端の結合部４１１１に連結し、クリップ４１２のもう一端は自由端を形成する。
【００１６】
クリップ４１２の幅は、一端の結合部４１１１から自由端に向かって次第に縮小するように設計されており、クリップ４１２の基部４１２２の部材を広くし、クリップ４１２の留め弾性力を向上し、クリップ４１２の幅が次第に縮小する設計によって、第１、第２留めアーム４１と、クリップ４１２両側に比較的大きい容量の髪Ｂの保持スペースを形成して、安定性が向上される。一方、クリップ４１２の自由端の端部付近両側に対応する外アーチ部４１３を形成し、クリップ４１２と、第１、第２留めアーム４１が弾性留め状態の際、クリップ４１２に２つの対応する外アーチ部４１３によって、髪Ｂがクリップ４１２の自由端に滑り出すのを防止する効果を発揮し、第１、第２留めアーム４１の開放端４１１の内縁部に係止突起部４１４が形成され、係止突起部４１４は、クリップ４１２の自由端の２つの対応する外アーチ部４１３間の付近に位置し、２つの対応する外アーチ部４１３とともに、髪Ｂの三点の係止設計を構成し、髪Ｂが外方向に滑り出すのを防止する効果を大幅に向上できる。このほか、クリップ４１２の中央部にくり抜き部４１２３を設けることによって、図６Ｂに示すように、ヘアクリップの効果を損ねることなく、重量を軽減できる。さらにクリップ４１２の中央部に波状突起部４１２１を設けることもできる。もちろん、クリップ４１２を複数の湾曲アーチ状に作るとともに、図６Ｃに示すように、第１、第２留めアーム４１の内側にも、これに対応する複数の湾曲アーチ状を設けて、滑り防止効果を向上することができる。
【００１７】
引き続き、図７Ａと及び図７Ｂを参照して、中央部を折り曲げて成形される弾性ヘアクリップの別の実施例を説明する。主弾性クリップフレーム部５と、一端を折り曲げて形成されるクリップ５１２とを含む。この実施例において、２つのクリップ５１２が例示されている。主弾性クリップフレーム部５は、第１留めアーム５１及び第２留めアーム５１によって構成される。２つのクリップ５１２と、第１、第２留めアーム５１の一端が一体成型されて同じフラットプレート材に成形された後、中央部を折り曲げて成形加工される。２つのクリップ５１２は、第１、第２留めアーム５１の間に対応し、２つのクリップ５１２のもう一端は、自由端を形成する。
【００１８】
２つのクリップ５１２の幅は、屈折部から自由端に向かって、次第に縮小するように設計され、２つのクリップ５１２の基部５１２２の部材は、比較的幅が大きく保たれ、２つのクリップ５１２の留め弾性力を向上できる。さらに、２つのクリップ５１２の幅が次第に縮小する設計によって、第１、第２留めアーム５１と、２つのクリップ５１２の両側に比較的大きい髪Ｂの保持スペースを形成し、２つのクリップ５１２の自由端の端部付近両側に、それぞれ外アーチ部５１３を形成し、２つのクリップ５１２と、第１、第２留めアーム５１が弾性留め状態の際、２つのクリップ５１２に２つの対応する外アーチ部５１３が髪Ｂを自由端に滑るのを防止する効果を発揮する。さらに、第１、第２留めアーム５１及び２つのクリップ５１２の自由端が対応する内縁部には、係止突起部５１４が形成され、係止突起部５１４は、２つのクリップ５１２の自由端の２つの対応する外アーチ部５１３間の付近部に位置し、２つの対応する外アーチ部５１３とともに、髪Ｂの三点の係止設計を構成し、髪Ｂが外方向に滑り出すのを防止する効果を有するほか、クリップ５１２の中間部に波状突起部５１２１を設けることもできる。もちろん、２つのクリップ５１２を複数の湾曲アーチ状に形成することもでき、図７Ｃ及び図７Ｄに示すように、第１、第２留めアーム５１の内外部にも対応する複数の湾曲アーチを設けて、滑り防止効果を向上する。
【００１９】
図７Ｅに示すように、主弾性クリップフレーム部５の一端は、単一のクリップ５２の実施形態にすることもできる。単一のクリップ５２及び第１、第２留めアーム５１の一端は一体のフラットシート材に成形された後、中間部を折り曲げ加工して成形される。クリップ５２は、第１、第２留めアーム５１の間に対応し、クリップ５２の一端は、自由端を形成する。クリップ５２の自由端の端部両側付近に、それぞれ外アーチ部５２１が形成され、クリップ５２及び第１、第２留めアーム５１が弾性留め状態の際、クリップ５２の２つの対応する外アーチ部５２１によって、髪Ｂが自由端に滑り出し防止効果を発揮できるとともに、係止突起部５１４は、クリップ５２の２つの対応する外アーチ部５２１とともに、髪Ｂの三点の係止設計を構成し、髪Ｂが外方向に滑り出すのを防止する効果を大幅に向上できる。
【００２０】
引き続き、図８Ａ及び図８Ｂを参照して、中央部を折り曲げて成形された弾性ヘアクリップの別の実施例を説明する。主弾性シート６と、一端が一体成型された屈折状に連結した２つのクリップ６１とを含む。２つのクリップ６１は、主弾性シート６の底面に対応し、２つのクリップ６１の一端は自由端を形成する。
【００２１】
クリップ６１の自由端の端部付近両側に、それぞれ外アーチ部６１１が形成されることによって、クリップ６１と、主弾性シート６が弾性留め状態の際、クリップ６１に設けられた２つの対応する外アーチ部６１１は、髪Ｂが自由端に滑るのを防止する効果を発揮する。
【００２２】
図８Ｃに示すように、主弾性シート６の一端を、単一のクリップ６２にすることもできる。主弾性シート６と、クリップ６２が同じフラットプレート材に成形された後、中央部を折り曲げ加工する。クリップ６２の自由端の端部付近両側に、それぞれ外アーチ部６２１が形成され、クリップ６２及び主弾性シート６が弾性留め状態の際、クリップ６２に設けられた２つの対応する外アーチ部６２１によって、髪Ｂが自由端に滑るのを防止する効果を発揮する。
【００２３】
以上に説明したとおり、本考案は、優れた弾性留め力を保持し、髪が外方向に滑り出すのを防止する弾性ヘアクリップ設計を提供する。
【符号の説明】
【００２４】
１            留めフレーム
１１            側面留めフレーム
３、４１２、５１２、５２、６１、６２  クリップ
１２１  側面
１２２  くり抜き溝
２、４、５  主弾性クリップフレーム部
２１、４１、５１  留めアーム
２１１、４１１  開放端
２１１１、４１１１  結合部
２１３、４１３、５１３、５２１、６１１、６２１  外アーチ部
２１２１、４１２１、５１２１  波状突起部
２１４、３３、４１４、５１４                係止突起部
２１１２  連結端
２１２２、４１２２、５１２２  基部
３  髪飾り
３１  結合孔
３２、４１２３  くり抜き部
６  主弾性シート
Ａ  保持スペース
Ｂ  髪
【図１Ａ】
0003228630.tif 000003
【図１Ｂ】
0003228630.tif 000004
【図１Ｃ】
0003228630.tif 000005
【図１Ｄ】
0003228630.tif 000006
【図２Ａ】
0003228630.tif 000007
【図２Ｂ】
0003228630.tif 000008
【図２Ｃ】
0003228630.tif 000009
【図２Ｄ】
0003228630.tif 000010
【図２Ｅ】
0003228630.tif 000011
【図２Ｆ】
0003228630.tif 000012
【図３】
0003228630.tif 000013
【図４Ａ】
0003228630.tif 000014
【図４Ｂ】
0003228630.tif 000015
【図５】
0003228630.tif 000016
【図６Ａ】
0003228630.tif 000017
【図６Ｂ】
0003228630.tif 000018
【図６Ｃ】
0003228630.tif 000019
【図７Ａ】
0003228630.tif 000020
【図７Ｂ】
0003228630.tif 000021
【図７Ｃ】
0003228630.tif 000022
【図７Ｄ】
0003228630.tif 000023
【図７Ｅ】
0003228630.tif 000024
【図８Ａ】
0003228630.tif 000025
【図８Ｂ】
0003228630.tif 000026
【図８Ｃ】
0003228630.tif 000027